(57)【要約】【課題】５本の足指部を挿入する５本指挿入部を構成する爪先部と指股部位の付け根部との間の筒状編成部を伸縮自在に編み上げる５本指靴下を提供する。【解決手段】５本指が挿入可能な５本指挿入部を有する５本指靴下ｋにおいて、親指挿入部１、人差し指挿入部２、中指挿入部３、薬指挿入部４及び小指挿入部５を構成する爪先部６と各指股部位の付け根部７との間の筒状編成部８を、細長帯状の凸状編み部９と細長帯状の凹状編み部１０とを交互に編み上げ伸縮自在な伸縮自在編み部ａ、ｂ、ｃ、ｄ、ｅを形成せしめた。【選択図】     図１
0003193866.tif 000002
【実用新案登録請求の範囲】
【請求項１】
５本指が挿入可能な５本指挿入部を有する５本指靴下において、
親指挿入部、人差し指挿入部、中指挿入部、薬指挿入部及び小指挿入部を構成する爪先部と各指股部位の付け根部との間の筒状編成部を、細長帯状の凸状編み部と細長帯状の凹状編み部とを交互に編み上げ伸縮自在な伸縮自在編み部を形成せしめることを特徴とする５本指靴下。
【請求項２】
前記伸縮自在編み部が、前記親指挿入部、人差し指挿入部、中指挿入部、薬指挿入部及び小指挿入部の筒状編成部の全周囲にして、且つ平行状に形成せしめることを特徴とする請求項１に記載の５本指靴下。
【請求項３】
前記凸状編み部と凹状編み部が、夫々接続していることを特徴とする請求項１又は同２に記載の５本指靴下。
【請求項４】
前記凸状編み部と凹状編み部が、親指挿入部から小指挿入部に行くに従って形成する本数を減少せしめることを特徴とする請求項１又は同２又は同３に記載の５本指靴下。
【請求項５】
前記凸状編み部と凹状編み部が、稍均一の間隔で形成されていることを特徴とする請求項１又は同２又は同３又は同４に記載の５本指靴下。
【請求項６】
前記凸状編み部と凹状編み部が、ガータ編みとすることを特徴とする請求項１又は同２又は同３又は同４又は同５に記載の５本指靴下。
【考案の詳細な説明】
【技術分野】
【０００１】
本考案は、５本の足指部を挿入する５本指挿入部を構成する爪先部と指股部位の付け根部との間の筒状編成部を伸縮自在に編み上げる５本指靴下の分野に関するものである。
【背景技術】
【０００２】
従来、指袋を有する靴下として、特開２００８−６３６９９公開特許公報が開示されている。
【０００３】
この公開特許公報に掲載されている指袋を有する靴下において、段落番号［００１４］において、前記指袋の少なくとも親指を挿入する第一指指袋または人差指を挿入する第二指指袋は、指の長さ方向への伸縮率が大きい編組織で編成され、ここで、指の長さ方向への伸縮率が大きい編組成とは、編目が自由長の状態の編地を、指の長さ方向に引っ張ったときの伸び率が大きい編組織のことをいうとされ、段落番号［００１５］において、前記した指の長さ方向への伸縮率が大きい編組織の部分は、ガーター編、または、リンクス編で形成されていることが好ましい。さらに、段落番号［００１６］において、指袋を５本備え、少なくとも第一指指袋または第二指指袋に対して、指の長さ方向への伸縮率が大きい編組織の部分が指袋の指股部近くにおいて、帯状に全周に亘って形成されていることが好ましい。そして、段落番号［００１７］において、指袋の全周に渡って帯状の伸縮編組織部分を形成するには、指袋の甲側の編地と足の裏側の編地とにおいて同じコースで帯状に編成することもできるし、指袋の甲部の編地と足の裏側の編地とにおいてコースを数コースずらした状態で帯状に編成することもできるとする発明が開示されている。
【０００４】
さらに、この公開特許公報に掲載されている発明の実施例について説明されている段落番号［００３６］には、全ての指袋がガーター編で帯状の伸縮編組織部７を編成している。第１図では、伸縮編組織部分７は、メッシュ部分である。等と多数箇所において記載がなされている。
【０００５】
しかし、前記開示の公開特許公報に掲載されている発明の伸縮編組織部分７は、帯状としか記載されておらず、この帯状部分が凹状部分を凸状部分とが交互に複数個宛形成された編組織部分でない。
【０００６】
さらに、従来実用新案登録第３０１５０３７号登録実用新案公報（靴下）が開示されている。
【０００７】
この登録実用新案公報の靴下は、請求項１に記載されているように、靴下の爪先部をタック編みで形成した靴下であり、ここに、タック（ＴＵＣＫ）編みとは、高針と低針とを有する編み機でキャリッジ内のカムを作動させ、低針だけの旧ループ（糸目）をはずさずに、次の糸をかける。タック編みでは一つの編み目の中に２回分の糸をかけることになる。このタック編みとニット編みとで交互に例えば指股部分を編むことで生地的には糸量が多くなり、強くて、横方向への伸びが通常の編み目より大きくなり、通気性が増すことになる。ここに、爪先部とは足の各指が入る程度の部分を言う。とのことが記載されている。
【０００８】
さらに、請求項２に記載されているように、本体部に連続する爪先部が複数の指袋状に形成された靴下において、この指袋状の部分と本体部との連続部分をタック編みで形成した靴下である。とのことが記載されている。
【０００９】
しかし、この従来開示の靴下は、爪先部及び指袋状の部分と本体部との連続部分をタック編みで形成したものであって、爪先部もしくは指袋状の部分と本体部との連続部分が帯状ではない。
【００１０】
そして、前記従来開示されている登録実用新案公報の靴下の考案の目的は、段落番号［０００４］に記載されているように、この考案は、通気性に優れるとともに、強度が高くなるタック編みをこの指先・指股部分に適用した靴下を提供することを目的とし、さらにスポーツソックスとして好適な靴下を提供すると共に、通気性に優れて発汗作用を抑え患部である指股部分を乾燥させることができるようにしたのであって、各指のサイズに適応させて伸縮自在になったり、あるいは各指に密着させると共に、指圧効果を目的としたものでない。
【先行技術文献】
【特許文献】
【００１１】
【特許文献１】特開２００８−６３６９９公開特許公報
【００１２】
【特許文献２】実用新案登録第３０１５０３７号登録実用新案特許公報
【考案の概要】
【考案が解決しようとする課題】
【００１３】
前記特許文献１（特開２００８−６３６９９）の発明は、指袋の少なくとも親指を挿入する第一指指袋または人差指を挿入する第二指指袋は、指の長さ方向への伸縮率が大きい編組織で編成され、ここで、指の長さ方向への伸縮率が大きい編組織とは、編目が自由長の状態の編地を、指の長さ方向に引っ張ったときの伸び率が大きい編組織のことをいうとされ、段落［００１５］において、前記した指の長さ方向への伸縮率が大きい編組織の部分は、ガーター編、または、リンクス編で形成されていることが好ましい。さらに、段落［００１６］において、指袋を５本備え、少なくとも第一指指袋または第二指指袋に対して、指の長さ方向への伸縮率が大きい編組織の部分が指袋の指股部近くにおいて、帯状に全周に亘って形成されていることが好ましい。そして、段落［００１７］において、指袋の全周に渡って帯状の伸縮編組織部分を形成するには、指袋の甲側の編地と足の裏側の編地とにおいてコースを数コースずらした状態で帯状に編成することもできるとする発明であって、この発明の伸縮編組織部分７は、帯状としか記載されておらず、この帯状部分が凹状部分と凸状部分とが交互に複数個宛形成された編組織部分ではない。
【００１４】
さらに、従来開示の実用新案登録第３０１５０３７号登録実用新案公報（靴下）の考案は、請求項１に記載されているように、靴下の爪先部をタック編みで形成した靴下であり、ここに、タック（ＴＵＣＫ）編みとは、高針と低針とを有する編み機でキャリッジ内のカムを作動させ、低針だけの旧ループ(糸目)をはずさずに、次の糸をかける。タック編みでは一つの編み目の中に２回分の糸をかけることになる。このタック編みとニット編みとで交互に例えば指股部分を編むことで生地的には糸量が多くなり、強くて、横方向への伸びが通常の編み目より大きくなり、通気性が増すことになる。ここに、爪先部とは足の各指が入る程度の部分を言う。とのことである。
【００１５】
また、請求項２に記載されているように、本体部に連続する爪先部が複数の指袋状に形成された靴下において、この指袋状の部分と本体部との連続部分をタック編みで形成した靴下である。とのことである。
【００１６】
しかし、この従来開示の靴下は、爪先部及び指袋状の部分と本体との連続部分をタック編みで形成したものであって、爪先部もしくは指袋状の部分と本体部との連続部分が、帯状ではない。
【００１７】
しかるに、本考案は、５本指が挿入可能な５本指挿入部を有する５本指靴下ｋにおいて、親指挿入部１、人差し指挿入部２、中指挿入部３、薬指挿入部４及び小指挿入部５を構成する爪先部６と各指股部位の付け根部７との間の筒状編成部８を、細長帯状の凸状編み部９と細長帯状の凹状編み部１０とを交互に編み上げ伸縮自在な伸縮自在編み部ａ、ｂ、ｃ、ｄ、ｅを形成せしめるようにして、靴下を履用した際に、履く方の指の長さの長短に対応して伸縮して異和感を感じたりしないで爽快さが実感できるようにした。
【００１８】
第２に本考案は、５本指の各挿入部の筒状編成部に、帯状の凸状編み部と帯状の凹状編み部とを交互にして編み上げた構成とすることによって、各指の肌面を適度に指圧せしめるようにした。
【課題を解決するための手段】
【００１９】
課題を解決するための手段として、請求項１に記載の考案は、５本指が挿入可能な５本指挿入部を有する５本指靴下ｋにおいて、親指挿入部１、人差し指挿入部２、中指挿入部３、薬指挿入部４及び小指挿入部５を構成する爪先部６と各指股部位の付け根部７との間の筒状編成部８を、細長帯状の凸状編み部９と細長帯状の凹状編み部１０とを交互に編み上げ伸縮自在な伸縮自在編み部ａ、ｂ、ｃ、ｄ、ｅを形成せしめる５本指靴下である。
【００２０】
課題を解決するための手段として、請求項２に記載の考案は、前記伸縮自在編み部ａ、ｂ、ｃ、ｄ、ｅが、前記親指挿入部１、人差し指挿入部２、中指挿入部３、薬指挿入部４及び小指挿入部５の筒状編成部の全周囲にして、且つ平行状に形成せしめる５本指靴下である。
【００２１】
課題を解決するための手段として、請求項３に記載の考案は、前記凸状編み部９と凹状編み部１０が、夫々接続している５本指靴下である。
【００２２】
課題を解決するための手段として、請求項４に記載の考案は、前記凸状編み部９と凹状編み部１０が、親指挿入部１から小指挿入部５に行くに従って、形成する本数を減少せしめる５本指靴下である。
【００２３】
課題を解決するための手段として、請求項５に記載の考案は、前記凸状編み部９と凹状編み部１０が、稍均一の間隔で形成されている５本指靴下である。
【００２４】
課題を解決するための手段として、請求項６に記載の考案は、前記凸状編み部９と凹状編み部１０が、ガータ編みとする５本指靴下である。
【考案の効果】
【００２５】
請求項１に記載の考案は、５本指が挿入可能な５本指挿入部を有する５本指靴下ｋにおいて、親指挿入部１、人差し指挿入部２、中指挿入部３、薬指挿入部４及び小指挿入部５を構成する爪先部６と各指股部位の付け根部７との間の筒状編成部８を、細長帯状の凸状編み部９と細長帯状の凹状編み部１０とを交互に編み上げ伸縮自在な伸縮自在編み部ａ、ｂ、ｃ、ｄ、ｅを形成せしめる５本指靴下なので、足指の長短に適応して伸縮自在となって足指の指先にフィットする。
【００２６】
本考案の靴下は、履き易く、しかも凸状編み部が各指の肌面を刺激して指圧効果を発揮し健康上極めて有効である。
【００２７】
本考案の靴下は、履いている際に前記の両凹凸状編み部の空隙部によって、空気が蓄積して保温性を著しく増大せしめるので、保温効果が極めて良好である。
【００２８】
本考案の靴下は、ガータ編みにした前記凸状編み部と凹状編み部とを、色彩の異なるカラー編み糸を使用することによって、カジュアルな靴下として楽しむことができると共に、購買力が著増できる。
【００２９】
請求項２に記載の考案は、前記伸縮自在編み部ａ、ｂ、ｃ、ｄ、ｅが、前記親指挿入部１、人差し指挿入部２、中指挿入部３、薬指挿入部４及び小指挿入部５の筒状編成部の全周囲にして、且つ平行状に形成せしめる５本指靴下なので、前記請求項１に記載の考案と同じ効果を有している。
【００３０】
請求項３に記載の考案は、前記凸状編み部９と凹状編み部１０が、夫々接続している５本指靴下なので、前記請求項１と同じ効果を有している。
【００３１】
請求項４に記載の考案は、前記凸状編み部９と凹状編み部１０が、親指挿入部１から小指挿入部５に行くに従って、形成する本数を減少せしめる５本指靴下なので、前記請求項１と同じ効果を併有している。
【００３２】
請求項５に記載の考案は、前記凸状編み部９と凹状編み部１０が、稍均一の間隔で形成されている５本指靴下なので、前記請求項１と同じ効果を併有している。
【００３３】
請求項６に記載の考案は、前記凸状編み部９と凹状編み部１０が、ガータ編みとする５本指靴下なので、前記請求項１と同じ効果を併有している。
【図面の簡単な説明】
【００３４】
【図１】本考案靴下の左用靴下にして図面代用の写真の正面図である。
【００３５】
【図２】同背面図である。
【００３６】
【図３】同内側面部の正面図である。
【００３７】
【図４】図３の靴下の背面図である。
【００３８】
【図５】図４の靴下において踵部をめくった状態の背面図である。
【００３９】
【図６】図３の靴下の一部切欠拡大正面図である。
【００４０】
【図７】図４の靴下の一部切欠拡大正面図である。
【考案を実施するための最良の形態】
【００４１】
請求項１〜６に記載の考案の実施形態は共通しているので、一括して以下のとおり説明する。
【００４２】
図において、ｋは５本指が挿入可能な５本指挿入部を有する５本指靴下である。
【００４３】
１は、親指挿入部、２は人差し指挿入部、３は中指挿入部、４は薬指挿入部、５は小指挿入部である。
【００４４】
前記５本指挿入部である親指挿入部１、人差し指挿入部２、中指挿入部３、薬指挿入部４及び小指挿入部５は、爪先部６から各指股部位の付け根部７との間に夫々筒状に編み上げられた筒状編成部８からなっている。
【００４５】
そして本考案の前記５本の各筒状編成部８には、細長帯状の凸状編み部９と細長帯状の凹状編み部１０とが交互にガータ編みにて編み上げられる。その結果伸縮自在な伸縮自在編み部ａ、ｂ、ｃ、ｄ、ｅが形成される。
【００４６】
上記のようにガータ編みにて編み上げ形成された伸縮自在編み部ａ、ｂ、ｃ、ｄ、ｅは、前記親指挿入部１、人差し指挿入部２、中指挿入部３、薬指挿入部４及び小指挿入部５の筒状編成部８の全周囲にして、且つ平行状に形成せしめてもよい。
【００４７】
さらに、本考案は、前記伸縮自在編み部ａ、ｂ、ｃ、ｄ、ｅの前記凸状編み部９と凹状編み部１０を夫々接続せしめて形成してもよい。
【００４８】
本考案の５本指靴下における前記伸縮自在編み部ａ、ｂ、ｃ、ｄ、ｅの前記凸状編み部９と凹状編み部１０は、親指挿入部１から小指挿入部５に行くに従って形成する本数を僅かづつ減少せしめて形成してもよい。
【００４９】
本考案の前記伸縮自在編み部ａ、ｂ、ｃ、ｄ、ｅの前記凸状編み部９と凹状編み部１０は、稍均一の間隔で形成することも好適である。
【００５０】
従って、大小様々な大きさの押し指にも対応し伸縮する。そのため足指にぴったりとフィットする。
【００５１】
また本考案の５本指靴下は、前記伸縮自在編み部ａ、ｂ、ｃ、ｄ、ｅ以外は、平編みにて形成する。
【００５２】
さらに本考案の５本指靴下における伸縮自在編み部ａ、ｂ、ｃ、ｄ、ｅを構成する凸状編み部９と凹状編み部１０はカラーの編み糸を使用してカラフルになるよう編み上げでもよい。それによって若者らに対する購買意欲を著しく増大せしめることができる。１１は足挿入部である。
【００５３】
前記筒状編成部８に形成する凸状編み部９と凹状編み部１０は、図１、２に図示されている靴下ｋの外側面部からみたときと、図３、４、５からみたときでは正逆となる。すなわち、外側面部からみた凸状編み部９は、靴下ｋを裏返しにして内側面部からみると凹状になるような編み上げがなされている。
【符号の説明】
【００５４】
ｋ        靴下
ａ        伸縮自在編み部
ｂ        伸縮自在編み部
ｃ        伸縮自在編み部
ｄ        伸縮自在編み部
ｅ        伸縮自在編み部
１        親指挿入部
２        人差し指挿入部
３        中指挿入部
４        薬指挿入部
５        小指挿入部
６        爪先部
７        付け根部
８        筒状編成部
９        凸状編み部
１０      凹状編み部
１１      足挿入部
【図１】
0003193866.tif 000003
【図２】
0003193866.tif 000004
【図３】
0003193866.tif 000005
【図４】
0003193866.tif 000006
【図５】
0003193866.tif 000007
【図６】
0003193866.tif 000008
【図７】
0003193866.tif 000009